(57)【要約】  【課題】  作業ベルトへの携帯電動工具の着脱動作において操作性を良くする。  【解決手段】  携帯電動工具用係止具１２は、先端側に動力軸３を設けた動力部４と、その動力部４から下方に向かって延設した把持部５とを備えた携帯電動工具２に着脱自在に装着される。その係止具１２は、略環形の引掛け部１３と、その引掛け部１３の一部から延びるように設けられる側部１４と、側部１４を前記動力部に着脱自在に固定する取付け具１５とを備え、側部１４の後端部には装着用の開口部１７が形成してある。携帯電動工具２の動力部４の先端部域に引掛け部１３を引っ掛け、側部１４を携帯電動工具２の側面に配置した状態で、取付け具１５によって側部１４を動力部４に固定することによって開口部１７を携帯電動工具２の動力部４の後方に配置可能にする。【選択図】  図２
2006239851.tif 000002
【特許請求の範囲】
【請求項１】
先端側に動力軸を設けた動力部と、その動力部から下方に向かって延設した把持部と、を備えた携帯電動工具に着脱自在に装着する携帯電動工具用係止具であって、
略環形の引掛け部と、その引掛け部の一部から延びるように設けられる側部と、側部を前記動力部に着脱自在に固定する取付け具とを備え、側部の後端部には装着用の開口部が形成してあり、
前記携帯電動工具の動力部の先端部域に引掛け部を引っ掛け、側部を携帯電動工具の側面に配置した状態で、取付け具によって側部を動力部に固定することによって前記開口部を携帯用電動工具の動力部後方に配置可能に構成した、ことを特徴とする携帯電動工具用係止具。
【請求項２】
請求項１に記載の携帯電動工具用係止具において、前記取付け具が側部に固着されている、携帯電動工具用係止具。
【請求項３】
請求項１に記載の携帯電動工具用係止具において、前記側部に取付け具の支持部を設けた、携帯電動工具用係止具。
【請求項４】
請求項１から請求項３のいずれか一項に記載の携帯電動工具用係止具において、前記側部にフック部材を設け、そのフック部材によって作業ベルトへの装着を可能にした、携帯電動工具用係止具。
【請求項５】
請求項３に記載の携帯電動工具用係止具において、前記支持部を側部に形成された挿通孔で構成した、携帯電動工具用係止具。
【請求項６】
請求項１から請求項５のいずれか一項に記載の携帯電動工具用係止具において、前記側部を略長Ｕ字形に形成し、その側部の後端部を開口部として使用した、携帯電動工具用係止具。
【請求項７】
請求項１から請求項５のいずれか一項に記載の携帯電動工具用係止具において、前記側部を板材で構成し、板材の後端部に開口部を形成した、携帯電動工具用係止具。
【発明の詳細な説明】
【技術分野】
【０００１】
本発明は携帯電動工具用係止具に関し、特に作業者が携帯電動工具を使用する場合に、その操作性を高めることができる携帯電動工具用係止具に関する。
【背景技術】
【０００２】
従来、携帯電動工具を使用しないときは、作業者が腰に付けた作業ベルトに電動工具を装着することが行われている。作業ベルトには、通常、複数の装着用リングが設けられており、その装着用リングに携帯電動工具のリング形の開口部を引っ掛けることにより、作業者の身体に携帯電動工具を装着できるようになっている。この状態では、作業者の両手は電動工具を持つことから開放されるので他の作業が円滑に行えるのである。
【０００３】
上記係止具を備えた携帯電動工具の先行技術として下記特許文献１が開示されている。
この特許文献１には、ピストル型の携帯電動工具の把手部下方にフック部材を予め取付けておき、そのフック部材を作業ベルトに設けられたフック受に確実に引っ掛けるために、フック先を上向きに設定した携帯用電動工具が開示されている。
【特許文献１】実開平０６−７４２８２「携帯用電動工具の駆動モータ」
【発明の開示】
【発明が解決しようとする課題】
【０００４】
上記従来技術であれば下記のような課題がある。
（Ａ）フック部材が予め取り付けられた携帯電動工具でないと使用できない。つまり、既存の携帯電動工具には採用できない。
（Ｂ）フック部材が小さく、かつフック部材の取付け位置が把手部の下部であるために、作業ベルトのフック受にフック部材を引っ掛けるのが難しく、操作性が悪い。
（Ｃ）作業者が携帯電動工具を手に持たないで他の作業を行うときには、作業ベルトのフック受などに電動工具を装着した方が良い場合と、作業ベルトの装着用リングに電動工具の開口部を取り付けた方が良い場合とがある。しかし、フック部材と開口部の選択は、各作業者の好みの問題であり、電動工具製造メーカが各作業者の要望に沿った電動工具を製造することは現実には不可能であった。
【０００５】
本発明は上記課題に鑑みてなされたものであり、本発明の目的は、上記課題を解決できる、携帯電動工具用係止具を提供することにある。
具体的な目的の一例を示すと、以下の通りである。
（ａ）既存の携帯電動工具に簡単に取り付けることができる携帯電動工具用係止具を提供する。
（ｂ）作業ベルトへの着脱動作において操作性を良くした携帯電動工具用係止具を提供する。
（ｃ）作業ベルトに設けられたフック受や作業ベルト本体に携帯電動工具を装着する場合と、作業ベルトの装着用リングに電動工具の開口部を装着する場合とを、各作業者の好みに応じて簡単に選ぶことができる携帯電動工具用係止具を提供する。
なお、上記に記載した以外の発明の課題、その解決手段及びその効果は、後述する明細書内の記載において詳しく説明する。
【課題を解決するための手段】
【０００６】
本発明は多面的に表現できるが、例えば、代表的なものを挙げると、次のように構成したものである。
第１発明の携帯電動工具用係止具は、先端側に動力軸を設けた動力部と、その動力部から下方に向かって延設した把持部と、を備えた携帯電動工具に着脱自在に装着する携帯電動工具用係止具であって、
略環形の引掛け部と、その引掛け部の一部から延びるように設けられる側部と、側部を前記動力部に着脱自在に固定する取付け具とを備え、側部の後端部には装着用の開口部が形成してあり、
前記携帯電動工具の動力部の先端部域に引掛け部を引っ掛け、側部を携帯電動工具の側面に配置した状態で、取付け具によって側部を動力部に固定することによって前記開口部を携帯用電動工具の動力部後方に配置可能に構成したことを特徴とする。
【０００７】
第２発明は、第１発明において、前記取付け具が側部に固着されていることを特徴とする。
第３発明は、第１発明において、前記側部に取付け具の支持部を設けたことを特徴とする。
【０００８】
第４発明は、第１発明から第３発明のいずれか一つに記載の発明において、前記側部にフック部材を設け、そのフック部材によって作業ベルトへの装着を可能にしたことを特徴とする。
第５発明は、第３発明において、前記支持部を側部に形成された挿通孔で構成したことを特徴とする。
【０００９】
第６発明は、第１発明から第５発明のいずれか一つに記載の発明において、前記側部を略長Ｕ字形に形成し、その側部の後端部を開口部として使用したことを特徴とする。
第７発明は、第１発明から第５発明のいずれか一つに記載の発明において、前記側部を板材で構成し、板材の後端部に開口部を形成したことを特徴とする。
【００１０】
以下、上記第１発明〜第７発明の各構成について説明する。
第１発明において、「略環形」とは、側部を保持できる程度に動力部の先端部域に引っ掛けることができる形状を言う。「略環形」には完全な環形のものや、例えば、環形の一部を切り欠いた形状（例えばＣ字形のようなもの）なども含まれる。
【００１１】
引掛け部と側部の材質は、高強度で、ある程度の剛性があることが好ましい。通常は、金属で作られた鋼材、炭素繊維、又は強化プラスチックなどの強度の高い素材を採用する。取付け具も上記強度の高い素材で構成し、可撓性がある方が好ましい。
【００１２】
取付け具の形状、構成、及び材質は特に限定されない。取付け具は、帯形、リング形のものが好ましい。また、取付け具は側部に固定されているもののみならず、側部と着脱自在に構成されたものでもよい。
前記引掛け部と側部の為す角度は７５゜〜１３５゜の範囲、好ましくは８５゜〜１１０゜の範囲に設定することが好ましい。通常は９０゜程度に設定される。前記引掛け部と側部とをヒンジ構造で接続する構成も採用できる。
【００１３】
なお、使用を想定する携帯用電動工具の動力部の大きさに対応して係止具の引掛け部の直径の大きさ、側部の長さ及び開口部の大きさを設定する。携帯用電動工具の動力部は、作業者が片手で持てる大きさに設定される。したがって、その大きさに対応して前記引掛け部、側部、及び開口部の設定を行うことにより、各電動工具製造メーカが販売している携帯電動工具の大部分において適用することができる。
また、必要に応じて、本発明に係る携帯電動工具用係止具の大きさを複数種類用意し、各電動工具の大きさに応じて選択するようにしてもよい。
【００１４】
第３発明に記載する「支持部」としては、第５発明に記載した挿通孔が例示できる。他には、各種の固定具を採用する構成や、側部に取付け具の位置を設定する凹みを設ける構成などが例示できる。
第６発明に係る側部の製造方法には、鋼材を曲げて略長Ｕ字形に形成する方法がある。
【００１５】
第７発明において、前記板材には動力部から出る熱風を通す通風孔を設けることが好ましい。前記板材は、炭素繊維樹脂などの強度の高い合成樹脂材などを使用することが好ましい。また、前記板材と引掛け部を一体成型で製造することも可能である。
【発明の効果】
【００１６】
以下、各発明の効果などについて説明する。
第１発明であれば、下記（イ）（ロ）の効果を有する。
（イ）携帯電動工具が係止具を有していない構成であっても、本発明に係る係止具を購入し、携帯電動工具の動力部の先端部域に引掛け部を引っ掛け、側部を携帯電動工具の側面に配置した状態で、取付け具によって側部を動力部に固定することによって、開口部を備えた携帯電動工具にすることが可能になる。したがって、既存の電動工具に簡単に取付け可能な係止具を提供できる。
（ロ）本発明に係る係止具であれば、前記開口部は携帯用電動工具の動力部後方に配置されることになるので、携帯電動工具の把持部下部に開口部やフックなどの係止手段を設ける構成に比べて、作業ベルトの装着用リングへの着脱動作が行いやすくなる。これは、作業者が片手で携帯電動工具の把持部を持ち、腰の位置に携帯電動工具を持ってきた状態では、携帯型電動工具の先端側は自然と下方を向き、動力部の後端側は上方を向くことになるので、動力部後方の位置に設けられた開口部を装着用リングに取り付ける動作が簡単に行えることになるからである。したがって、携帯電動工具の作業用ベルトへの着脱動作が簡単に行え、作業を効率的に行うことができる。
【００１７】
第２発明であれば、前記取付け具が側部に固着されているので、動力部に固定する位置を一定にすることができるとともに、本発明に係る携帯電動工具用係止具の動力部への取付けが簡単に行える利点がある。
第３発明であれば、側部を携帯用電動工具の動力部に取付けやすくなる。また、この構成であれば、取付け具を側部に溶接などによって固着する構成に比べて、取付け具が破損したり、古くなった場合には、側部はそのままで取付け具だけを取替えることが可能になるので、携帯電動工具用係止具を長期間、良好な状態で利用することが可能になる。
【００１８】
第４発明であれば、開口部による作業ベルトへの装着に加えて、必要に応じてフック部材によっても携帯電動工具を作業ベルトに装着することができるので、携帯用電動工具の作業ベルトへの装着の形態を作業に応じて使い分けることができ、各作業者の好みに応じて操作性を高めることができる。
第５発明であれば、前記支持部を挿通孔で構成したことにより、簡単な構成でしっかりと取付け具を支持することができる。また、取付け具が破損した場合などに取付け具の交換を行いやすい利点がある。
【００１９】
第６発明であれば、側部を略長Ｕ字形に形成することによって開口部も一緒に形成できるので、簡単かつ低コストで製造できる。
第７発明であれば、側部が板材で構成されていても、前記携帯電動工具の係止具として機能させることができる。
【発明を実施するための最良の形態】
【００２０】
以下、本発明の実施の形態を図面に基づき説明する。
図１〜図４は本発明の第１実施形態に係る携帯電動工具用係止具を説明するための図であり、図１は携帯電動工具用係止具の斜視図、図２はその係止具を携帯電動工具に装着した状態を示す側面図、図３は図２を先端側から見た図、図４は係止具を作業ベルトに装着した状態を示す図である。
【００２１】
この実施形態では、図２に示すように、コードレスのインパクトドライバ１を携帯電動工具２として例示してある。インパクトドライバ１は全体形状が略ピストル形となっている。
インパクトドライバ１は、内部に駆動モータ（図示せず）が収容され、先端側に動力軸３を設けた動力部４と、その動力部４から下方に向かって延設した把持部５と、その把持部５の下端部位置に設けられた電池部６とを備えている。
【００２２】
前記動力軸３の先端にビットホルダ７が設けられ、そのビットホルダ７にドライバビット等の所定作業具８を着脱自在に装着する。
電池部６に内蔵される電池ユニット（図示せず）は、駆動モータを駆動させる電池であり、その電池ユニットは電池部６から着脱自在に構成される。電池ユニットは、再充電可能に構成され、ニッケル水素電池などが使用される。
把持部５の上部先端側でピストルの引き金位置には、前記駆動モータの起動と停止を操作するスイッチ９が設けてある。
【００２３】
次に、本実施形態に係る携帯電動工具用係止具１２（以下、係止具と略称する）の構成について説明する。
図１及び図２に示すように、係止具１２は、略環形の引掛け部１３と、その引掛け部１３の基端から角度θを持って延びるように設けられる側部１４と、側部１４を前記動力部４に着脱自在に固定する取付け具１５としての締付けリング１６とを備えている。また、側部１４の少なくとも後端部には装着用の開口部１７が形成してある。
引掛け部１３は、図１〜図４に示す第１実施形態の構成では、前記動力部４の先端域に引っ掛けるための略円形の枠体で構成してあり、想定する動力部４の直径よりも枠体の直径を小さくして、動力部４の先端部域に引っ掛かけることができるように構成してある。
【００２４】
側部１４は、引掛け部１３の枠体がある平面に対して角度θを持って接続されており、略円形の枠体の基部に長い略Ｕ字形の鋼材を溶接することにより構成してある。なお、角度θはほぼ９０゜とすることが好ましい。
【００２５】
開口部１７は、略Ｕ字形の曲げ鋼材の後端部を動力部４の後端から突出させることにより、装着用リング１９（図４参照）に係止できるように構成してある。
係止具１２は、引掛け部１３をインパクトドライバ１の動力部４の先端部域に引っ掛けるとともに、側部１４を動力部４の横側にほぼ当接した状態で、締付けリング１６によって動力部４に固定する。
【００２６】
図４に示すように、作業者は装着用リング１９を備えた作業ベルト２０を腰に付けた状態で、携帯電動工具２の開口部１７を装着用リング１９に着脱自在に取り付ける。
装着用リング１９はそのリングの一部がヒンジ構造になっており、そのヒンジ部分が内側に移動することによって開口部１７をリング１９内に挿入し、開口部１７をそのリング１９に引っ掛けた状態にすることができるように構成されている。
【００２７】
上記のように構成することにより、図２及び図３に示すように、係止具１２の側部１４は、インパクトドライバ１の動力部４にほぼ平行に取り付けられ、前記開口部１７はインパクトドライバ１の動力部４の後方に配置されることになるので、装着用リング１９への着脱動作が行いやすくなる。これは、片手でインパクトドライバ１の把持部４を持ち、腰の位置にインパクトドライバ１を持ってきた状態では、インパクトドライバ１の先端側は自然と下方を向き、動力部４の後端側は上方を向くことになるので、動力部４の後方の位置に設けられた開口部１７を装着用リング１９に取り付ける動作が簡単に行えることになるからである。
【００２８】
また、携帯電動工具２の動力部４は、作業者が片手で持てる大きさに設計されるので、その大きさに対応して係止具１２の引掛け部１３の直径の大きさ、側部１４の長さ及び開口部１７の大きさを設定することにより、各社が販売している携帯用電動工具の種類に関係なく、係止具１２を適用できる。特に、携帯電動工具２が係止手段を予め有していない構成であっても、本係止具１２を購入し、取り付けることによって使い勝手の良い携帯電動工具２にすることが可能になる。
【００２９】
また、本第１実施形態に係る係止具１２であれば、鋼材の一方側に環形の引掛け部１３を構成し、他方側に略長Ｕ字形の側部１４を形成して、引掛け部１３と側部１４の区分け域で略９０゜に曲げることによって係止具１２を構成しているので、構造が簡単であり、機械的強度も高められる利点がある。さらに、動力部４の側面には２本の鋼材で構成される側部１４が付設されるだけなので、動力部４の側面に設けられる熱風吹き出し孔などを塞ぐおそれもない。また、本構成であれば、係止具１２を軽量かつ安価に製造できる利点がある。
【００３０】
（第２実施形態）
図５は本発明の第２実施形態に係る係止具を示す斜視図であり、図１に対応する図である。なお、第１実施形態と同一の部材又は同一の機能を有する部材については同じ符号を付してその説明は省略する。後述する第３実施形態も同様に符号の説明は省略する。
【００３１】
この第２実施形態は、係止具１２の側部１４に取付け具１５の支持部２１を設けたことを特徴としている。図５に示す構成では、支持部２１は側部１４の略Ｕ字形の鋼材に設けられた一対の挿通孔２２・２２で構成されている。そして、その挿通孔２２・２２に取付け具１５を通すことにより、取付け具１５を支持するように構成してある。
この第２実施形態の係止具１２であれば、取付け具１５は側部１４に支持された構成なので、側部１４を携帯用電動工具２の動力部４に装着しやすくなる。
【００３２】
また、この構成であれば、取付け具１５を側部１４に溶接などによって固着する構成に比べて、取付け具１５が破損し、又は古くなった場合には、側部１４と引掛け部１３はそのまま使用し、取付け具１５だけを取替えることが可能になるので、係止具１２を長期間利用することが可能になる。
【００３３】
（第３実施形態）
図６は本発明の第３実施形態に係る係止具を示す斜視図であり、図１に対応する図である。
この第３実施形態は、係止具１２の側部１４に作業ベルト装着用のフック部材２３を設けたことを特徴としている。図６に示す構成では、側部１４に支持部２１を取り付けた構成に加えて、フック部材２３が側部１４に取り付けられている。フック部材２３は取付け具１５の支持部２１が設けられた側部１４の位置よりも引掛け部１３側に配置してある。フック部材２３は溶接などにより側部１４にしっかりと固着することが好ましい。
なお、フック部材２３は作業ベルト２０に設けられたフック受２５（図４参照）に引っ掛けてもよく、また作業ベルト２０自体に引っ掛けてもよい。
【００３４】
この第３実施形態の係止具１２であれば、開口部１７による作業ベルト２０の装着用リング１９への装着に加えて、必要に応じてフック部材２３によっても携帯用電動工具２を作業ベルト２０に装着することができる。したがって、携帯用電動工具２の作業ベルト２０への装着の形態を各作業者の選択に応じて使い分けることができ、作業性を高めることができる。
【図面の簡単な説明】
【００３５】
【図１】図１は本発明の第１実施形態に係る携帯電動工具用係止具の斜視図である。
【図２】図２は第１実施形態に係る係止具を携帯電動工具に装着した状態を示す側面図である。
【図３】図３は図２を先端側から見た図である。
【図４】図４は係止具を作業ベルトに装着した状態を示す図である。
【図５】図５は本発明の第２実施形態に係る係止具を示す斜視図である。
【図６】図６は本発明の第３実施形態に係る係止具を示す斜視図である。
【符号の説明】
【００３６】
１…インパクトドライバ、２…携帯電動工具、４…動力部、５…把持部、１２…携帯電動工具用係止具、１３…引掛け部、１４…側部、１５…取付け具、１７…開口部、２０…作業ベルト、２１…支持部、２３…フック部材、２２…挿通孔。
【図１】
2006239851.tif 000003
【図２】
2006239851.tif 000004
【図３】
2006239851.tif 000005
【図４】
2006239851.tif 000006
【図５】
2006239851.tif 000007
【図６】
2006239851.tif 000008